(57)【特許請求の範囲】
【請求項１】
レーザ光の照射によって紙葉類に印画するレーザマーカであって、
前記紙葉類にレーザ光を照射するレーザ照射部と、
前記紙葉類を支持するベース部と、
前記ベース部に設けられると共に、前記紙葉類の一方の面に接する駆動ローラと、
前記ベース部と協働して前記紙葉類を挟持する紙葉類挟持位置と前記レーザ光の光路外の退避位置との間を回動する可動部材と、
前記可動部材に設けられると共に、前記紙葉類の他方の面に接し、前記駆動ローラと協働して前記紙葉類を搬送するピンチローラと、
前記可動部材に固定されると共に、前記可動部材の前記紙葉類挟持位置で前記レーザ光を透過且つ屈折させるプリズムと、を備え、
前記レーザ照射部からの前記レーザ光は、前記可動部材が前記紙葉類挟持位置と前記退避位置にあるときに前記紙葉類に照射されることを特徴とするレーザマーカ。
【請求項２】
前記プリズムは、互いに異なる方向に前記レーザ光を屈折させる複数のプリズム部を有し、前記複数のプリズム部は、前記ピンチローラによる前記紙葉類の搬送方向に沿って並置されていることを特徴とする、請求項１記載のレーザマーカ。
【請求項３】
複数の前記可動部材は、前記紙葉類挟持位置が互いに重複するように配置され、互いに異なる方向に回動することを特徴とする請求項１又は２記載のレーザマーカ。
【発明の詳細な説明】
【技術分野】
【０００１】
本発明は、レーザ光を照射して紙葉類に印画するレーザマーカに関する。
【背景技術】
【０００２】
傾きに応じて見える図柄が変化するレンチキュラー部を有するカードが従来から存在する。レンチキュラー部は、カードに印画されたレンチキュラー画像と、レンチキュラー画像を覆う透明なシート状のレンチキュラーレンズとで構成されている。レンチキュラー部のレンチキュラー画像は、表面にレンチキュラーレンズが形成されたカードに対し、傾いたレーザ光をレンチキュラーレンズを通して照射することで印画される。特許文献１には、カードを傾けることでレーザ光を照射するレンチキュラー画像の印画方法が開示されている。
【先行技術文献】
【特許文献】
【０００３】
【特許文献１】特開昭６２−１６１５９６号公報
【発明の概要】
【発明が解決しようとする課題】
【０００４】
上述したレンチキュラー画像の印画方法を採用する場合、レンチキュラー画像を印画する際にカード等の紙葉類を傾けるための機構を設ける必要があるため、紙葉類にレーザ光を照射するレーザマーカが大型化してしまう。
【０００５】
本発明は、レーザ光による通常画像の印画とレンチキュラー画像の印画とを可能にすると共に、小型化をも可能にするレーザマーカを提供することを目的とする。
【課題を解決するための手段】
【０００６】
本発明に係るレーザマーカは、レーザ光の照射によって紙葉類に印画するレーザマーカであって、紙葉類にレーザ光を照射するレーザ照射部と、紙葉類を支持するベース部と、ベース部に設けられると共に、紙葉類の一方の面に接する駆動ローラと、ベース部と協働して紙葉類を挟持する紙葉類挟持位置とレーザ光の光路外の退避位置との間を回動する可動部材と、可動部材に設けられると共に、紙葉類の他方の面に接し、駆動ローラと協働して紙葉類を搬送するピンチローラと、可動部材に固定されると共に、可動部材の紙葉類挟持位置でレーザ光を透過且つ屈折させるプリズムと、を備え、レーザ照射部からのレーザ光は、可動部材が紙葉類挟持位置と退避位置にあるときに紙葉類に照射されることを特徴とする。
【０００７】
このようなレーザマーカでは、可動部材が紙葉類挟持位置にあるときに、駆動ローラ及びピンチローラの協働により紙葉類の位置を調整し、可動部材に固定されたプリズムにより屈折させることでレーザ光を傾けて紙葉類に照射し、レンチキュラー画像を印画することができる。プリズムが固定された可動部材が退避位置にあるときには、プリズムを透過していないレーザ光を紙葉類に照射して通常画像を印画することができる。このように、紙葉類を傾けることなくレンチキュラー画像及び通常画像を印画することができるため、紙葉類を傾ける機構を設けずにレーザマーカを小型化することができる。特に、レーザ光の光路内とレーザ光の光路外との間でプリズムを移動させる可動部材は、紙葉類挟持位置と退避位置との間を回動するため、可動部材を動かす機構を単純化し易く、レーザマーカを更に小型化することができる。更に、可動部材は、プリズムをレーザ光の光路外に退避させる際に、ピンチローラもレーザ光の光路外に退避させており、ピンチローラに妨げられることなく通常画像を印画することを可能としている。一つの可動部材をピンチローラの退避とプリズムの退避とに兼用しているため、レーザマーカを一層小型化することができる。
【０００８】
プリズムは、互いに異なる方向にレーザ光を屈折させる複数のプリズム部を有し、複数のプリズム部は、ピンチローラによる紙葉類の搬送方向に沿って並置されている。この場合、駆動ローラ及びピンチローラを用いた単純な構造で紙葉類を一方向に沿って搬送するだけで、紙葉類を各プリズム部の位置に素早く移動させることができる。このため、各プリズム部を透過して互いに異なる方向に屈折したレーザ光を紙葉類に照射して、図柄が多彩なレンチキュラー画像を素早く印画することができる。また、紙葉類の搬送構造を駆動ローラ及びピンチローラを用いた単純なものとすることができることから、レーザマーカを小型化することができる。
【０００９】
複数の可動部材は、紙葉類挟持位置が互いに重複するように配置され、互いに異なる方向に回動する。この場合、各可動部材を回動させることで、重複した紙葉類挟持位置にある可動部材を入れ替えることができる。重複した紙葉類挟持位置にある可動部材を入れ替えることで、複数のプリズムを入れ替えてレーザ光の光路内に配置することができ、図柄がより多彩なレンチキュラー画像を印画することができる。また、重複した紙葉類挟持位置が、各プリズムをレーザ光の光路内に配置した印画に兼用されるため、レーザマーカを小型化することができる。
【発明の効果】
【００１０】
本発明によれば、レーザ光による通常画像の印画とレンチキュラー画像の印画とを可能にすると共に、小型化をも可能にするレーザマーカを提供することができる。
【図面の簡単な説明】
【００１１】
【図１】本発明に係るレーザマーカの第１実施形態を示す斜視図である。
【図２】図１中の搬送装置を示す斜視図である。
【図３】図２中の回動部材が挟持位置にある状態を示す斜視図である。
【図４】図３中の第１のプリズム部を用いてレンチキュラー部にレンチキュラー画像を印画している状態を示す斜視図である。
【図５】図４中のレンチキュラー部を第２のプリズム部の位置まで移動させた状態を示す斜視図である。
【図６】図５中の第２のプリズム部を用いてレンチキュラー部にレンチキュラー画像を印画している状態を示す斜視図である。
【図７】本発明に係るレーザマーカの第２実施形態の搬送装置を示す斜視図である。
【図８】図８中の回動部材が挟持位置にある状態を示す斜視図である。
【図９】図８中の第１のプリズム部を用いてレンチキュラー部にレンチキュラー画像を印画している状態を示す斜視図である。
【図１０】図９中のレンチキュラー部を第２のプリズム部の位置まで移動させた状態を示す斜視図である。
【図１１】図１０中の第２のプリズム部を用いてレンチキュラー部にレンチキュラー画像を印画している状態を示す斜視図である。
【図１２】本発明に係るレーザマーカの第３実施形態の搬送装置を示す斜視図である。
【図１３】図１２中の第１の回動部材が挟持位置にある状態を示す斜視図である。
【図１４】図１２中の第２の回動部材が挟持位置にある状態を示す斜視図である。
【図１５】図１４中の第３のプリズム部を用いて第２のレンチキュラー部にレンチキュラー画像を印画している状態を示す斜視図である。
【図１６】図１５中の第２のレンチキュラー部を第４のプリズム部の位置まで移動させた状態を示す斜視図である。
【図１７】図１６中の第４のプリズム部を用いて第２のレンチキュラー部にレンチキュラー画像を印画している状態を示す斜視図である。
【発明を実施するための形態】
【００１２】
以下、図面を参照しつつ本発明に係るレーザマーカの好適な実施形態について詳細に説明する。
（第１実施形態）
【００１３】
図１〜図６に示されるレーザマーカ１は、紙葉類の一例をなすカードＣ１にレンチキュラー画像と通常画像とを印画するものである。レンチキュラー画像は、カードＣ１に設けられたレンチキュラー部Ｐ１に形成される。レンチキュラー部Ｐ１は、カードＣ１の表面に透明なシート状のレンチキュラーレンズが形成された部分であり、レンチキュラー画像はレンチキュラーレンズの下に形成される。レーザマーカ１は、下方に向けられたヘッド部１ａからレーザ光を照射させるためのレーザ照射装置１Ｂと、上部に配置されたレーザ照射装置１Ｂを収容するためのハウジング１Ａとを備えている。レーザ照射装置１Ｂは、スキャンミラーを移動させることで、レーザ光の照射ポイントを水平方向に自在に移動させることができる。ハウジング１Ａ内において、レーザ照射装置１Ｂの下方には、レーザ照射装置１Ｂから照射されたレーザ光により印画を行うためにカードＣ１を搬送する搬送装置２が設置されている。
【００１４】
図２〜図４に示されるように、搬送装置２は、略水平に配置されたカードＣ１を支持するベース部３と、ベース部３の上部に回動自在に連結された回動部材（可動部材）４とを備えている。回動部材４は、ベース部３と協働してカードＣ１を挟持する挟持位置Ａ１と、レーザ光の光路外の退避位置Ａ２との間を回動する。
【００１５】
ベース部３は、ハウジング１Ａ内において水平に配置される長方形のベース板３ａと、ベース板３ａの各長辺から鉛直に起立する側板３ｂ，３ｃとを有している。ベース板３ａの一方の短辺側には、側板３ｂ，３ｃに直交する鉛直なカバー板３ｄが設けられている。カバー板３ｄには、カード取り込み口３０（図１参照）が形成されている。カード取り込み口３０には、カードＣ１が略水平に挿入される。以下の説明において、「前後左右」とは、カードＣ１の挿入方向を前方とした場合の「前後左右」を意味するものとする。
【００１６】
カード取り込み口３０の内側の下方には、左右方向に延在した回動軸８Ａが設けられている。回動軸８Ａは側板３ｂ，３ｃに設けられた軸受孔に通されており、側板３ｂの外側で、タイミングベルトによりモータＭ１に連結されている。回動軸８Ａには、駆動ローラ７Ａが設けられている。駆動ローラ７Ａは、カード取り込み口３０の下面に接する。駆動ローラ７Ａの上方には、回動軸８Ａに略平行な軸線を中心に回動自在であるピンチローラ１０Ａが設けられている。
【００１７】
ピンチローラ１０Ａは、駆動ローラ７Ａに向かって板バネ等により付勢されている。カード取り込み口３０に挿入されたカードＣ１は、ピンチローラ１０Ａによって駆動ローラ７Ａに押し付けられる。この状態で、モータＭ１により回動軸８Ａを介して駆動ローラ７Ａを回動させると、カードＣ１は駆動ローラ７Ａの回動に応じて前後方向に移動し、これに追従してピンチローラ１０Ａが回動する。このように、駆動ローラ７Ａとピンチローラ１０Ａとの協働により、カードＣ１が前後方向に搬送される。
【００１８】
駆動ローラ７Ａの前方には、前後方向に延在する一対のガイド部材５，６が設けられている。ガイド部材５，６は、それぞれ側板３ｂ，３ｃの上縁に取り付けられている。ガイド部材５は、カードＣ１の右側を支持する支持板５ａと、支持板５ａから上方に突出し、カードＣ１の右側に沿うガイド壁５ｂとを有している。ガイド部材６は、カードＣ１の左側を支持する支持板６ａと、支持板６ａから上方に突出し、カードＣ１の左側に沿うガイド壁６ｂとを有しており、バネによってガイド部材５側に付勢されている。これにより、ガイド壁５ｂとガイド壁６ｂによってカードＣ１を隙間なく挟持することができ、カードＣ１の左右方向の位置を高精度に定めることができる。そして、ガイド部材５とガイド部材６の協働により、カードＣ１は前後方向に沿って案内される。
【００１９】
ガイド部材５，６の下方には、回動軸８Ａに対し平行となるように延在した回動軸８Ｂが設けられている。回動軸８Ｂは、側板３ｂ，３ｃに設けられた軸受孔に通されており、側板３ｃの外側で、タイミングベルト２４により回動軸８Ａに連結されている。回動軸８Ｂには、駆動ローラ７Ｂが設けられている。駆動ローラ７Ｂはガイド部材５寄りに配置され、カードＣ１の下面に接する。
【００２０】
ガイド部材５，６の後方には、回動軸８Ａ，８Ｂに対し平行となるように延在した回動軸９が設けられている。回動軸９は、側板３ｂ，３ｃに設けられた軸受孔に通されている。上述した回動部材４は回動軸９に固定されている。回動部材４は、一端部が回動軸９に固定され、回動軸９に対し垂直な方向に延在する一対のフレーム４ａ，４ｂを有している。一対のフレーム４ａ，４ｂは互いに平行であり、フレーム４ａ，４ｂの他端部同士は連結軸４ｃにより連結されている。回動部材４が上述した挟持位置Ａ１にあるときに、フレーム４ａ，４ｂは、それぞれガイド部材５，６に対向する。
【００２１】
回動軸９は、側板３ｂの外側で、タイミングベルトによりモータＭ２に連結されている。モータＭ２によって、左から見て時計回りに回動軸９を回動させると、回動部材４はガイド部材５，６から上方に遠ざかるように回動し、挟持位置Ａ１から退避位置Ａ２に至る。左から見て反時計回りに回動軸９を回動させると、回動部材４はガイド部材５，６に上方から近づくように回動し、退避位置Ａ２から挟持位置Ａ１に至る。
【００２２】
側板３ｃの外側には、回動軸９の回動状態を検知するセンサ２５が設けられている。センサ２５は、回動軸９の端部に固定された回転板２６と、側板３ｃに固定されたフォトセンサ２７，２８とを有している。フォトセンサ２７，２８のそれぞれは、一対の投光素子と受光素子を有し、投光素子からの光が受光素子に到達しているかどうかにより、投受光素子間に回転板２６が位置しているかどうかを検知する。回転板２６及びフォトセンサ２７，２８は、回動部材４が挟持位置Ａ１から退避位置Ａ２に至ったときにフォトセンサ２７，２８の両方で投受光素子間が遮光され、回動部材４が退避位置Ａ２から挟持位置Ａ１に至ったときにフォトセンサ２７，２８の両方で投受光素子間が遮光されなくなるように配置されている。
【００２３】
回動部材４のうち駆動ローラ７Ｂに対応する位置には、ピンチローラ１０Ｂが設けられている。ピンチローラ１０Ｂは、駆動ローラ７Ｂの回動軸８Ｂの軸心Ｌ１と回動部材４の回動軸９の軸心Ｌ２とに略平行な軸心Ｌ３を中心に回動自在であり、板バネ２３を介してフレーム４ａにねじ止め固定されている。駆動ローラ７Ｂがガイド部材５寄りに配置されていることから、ピンチローラ１０Ｂはフレーム４ａ寄りに配置されている。これにより、後述するプリズム１１の配置スペースがフレーム４ｂ側に十分に確保されている。
【００２４】
回動部材４が挟持位置Ａ１に位置するときに、ピンチローラ１０Ｂは板バネ２３により駆動ローラ７Ｂに向かって付勢される。このため、駆動ローラ７Ｂ上に配置されたカードＣ１は、ピンチローラ１０Ａによって駆動ローラ７Ａに押し付けられる。この状態で回動軸８Ｂを介して駆動ローラ７Ｂを回動させると、カードＣ１は駆動ローラ７Ｂの回動に応じ、ガイド部材５，６に沿って移動し、これに追従してピンチローラ１０Ｂが回動する。このように、ピンチローラ１０Ｂは、駆動ローラ７Ｂと協働し、カードＣ１をガイド部材５，６に沿って搬送する。これにより、印画時には、ガイド部材５，６上におけるカードＣ１の位置が調整され、印画後には、ガイド部材５，６の前方にカードＣ１が搬出される。
【００２５】
フレーム４ａとフレーム４ｂの間には、プリズム１１が配置されている。フレーム４ｂに固定されたプリズム１１は、前後方向、すなわちピンチローラ１０ＢによるカードＣ１の搬送方向Ｌ４に沿って並置された第１の直角プリズム１２（第１のプリズム部）と第２の直角プリズム１３（第２のプリズム部）からなる。後側に配置された第１の直角プリズム１２は、互いに直交する直交面１２ｂ，１２ｃと、直交面１２ｂ，１２ｃに斜交する斜面１２ａと、一対の側面１２ｄ，１２ｄとを有している。直角プリズム１２は、回動部材４が挟持位置Ａ１にあるときに、一方の直交面１２ｂが水平となって上方に対面し、他方の直交面１２ｃが前方に対面し、斜面１２ａが下方及び後方に対面するように配置されている。前側に配置された第２の直角プリズム１３は、互いに直交する直交面１３ｂ，１３ｃと、直交面１３ｂ，１３ｃに斜交する斜面１３ａと、一対の側面１３ｄ，１３ｄとを有している。直角プリズム１３は、回動部材４が挟持位置Ａ１にあるときに、一方の直交面１３ｂが水平となって上方に対面し、他方の直交面１３ｃが後方に対面し、斜面１３ａが下方及び前方に対面するように配置されている。直角プリズム１２，１３は、直交面１２ｃ，１３ｃ同士が密着するように配置されている。
【００２６】
以上のように構成されたレーザマーカ１を用いた印画方法について説明する。まず、レンチキュラー部Ｐ１が上方に対面し、長辺が前後方向に沿った状態で、カードＣ１をカード取り込み口３０に挿入し、駆動ローラ７Ａ及びピンチローラ１０Ａの協働によりガイド部材５，６上まで搬送する。このとき、回動部材４を挟持位置Ａ１に位置させておく。次に、駆動ローラ７Ｂ及びピンチローラ１０Ｂの協働によりカードＣ１を搬送し、図４に示されるように、カードＣ１のレンチキュラー部Ｐ１を第１の直角プリズム１２の下方に位置させる。そして、レーザ照射装置１Ｂのヘッド部１ａから第１の直角プリズム１２に向かってレーザ光Ｂを照射する。第１の直角プリズム１２に入射したレーザ光Ｂは、下方及び後方に対面した斜面１２ａで前方に屈折してレンチキュラー部Ｐ１に到達する。
【００２７】
次に、駆動ローラ７Ｂ及びピンチローラ１０Ｂの協働によりカードＣ１を搬送し、図５に示されるように、レンチキュラー部Ｐ１を第２の直角プリズム１３の下方に位置させる。そして、図６に示されるように、レーザ照射装置１Ｂのヘッド部１ａから第２の直角プリズム１３に向かってレーザ光Ｂを照射する。第２の直角プリズム１３に入射したレーザ光Ｂは、下方及び前方に対面した斜面１３ａで後方に屈折してレンチキュラー部Ｐ１に到達する。このように、前方と後方の２方向に屈折したレーザ光Ｂをレンチキュラー部Ｐ１に照射することで、搬送方向Ｌ４に直交する軸線Ｌ７を中心にカードＣ１を傾動させると図柄が変化するレンチキュラー画像が印画される。
【００２８】
次に、駆動ローラ７Ｂ及びピンチローラ１０Ｂの協働によりカードＣ１を搬送し、通常画像の印画用にカードＣ１の位置を調整する。そして、回動軸９を回動させることで退避位置Ａ２まで回動部材４を退避させ、レーザ照射装置１Ｂのヘッド部１ａからカードＣ１の上面に向かって直接レーザ光を照射する。レーザ光はカードＣ１の上面に垂直に入射し、通常画像が印画される。
【００２９】
回動部材４が退避位置Ａ２にある状態で、レンチキュラー部Ｐ１に直接レーザ光を照射してもよい。このようにすると、レンチキュラー部Ｐ１に三方向からレーザ光が照射されることとなり、カードＣ１の傾きに応じて更に多彩に図柄が変化するレンチキュラー画像を印画することができる。
【００３０】
以上説明したレーザマーカ１では、回動部材４が挟持位置Ａ１にあるときに、回動部材４に固定されたプリズム１１により屈折させることでレーザ光を傾けてカードＣ１に照射し、レンチキュラー画像を印画することができる。回動部材４が退避位置Ａ２にあるときには、プリズム１１を透過していないレーザ光をカードＣ１に照射して通常画像を印画することができる。このように、カードＣ１を傾けることなくレンチキュラー画像及び通常画像を印画することができるため、カードＣ１を傾ける機構を設けずにレーザマーカ１を小型化することができる。特に、レーザ光の光路内とレーザ光の光路外との間でプリズム１１を移動させる回動部材４は、挟持位置Ａ１と退避位置Ａ２との間を回動するため、回動部材４を動かす機構を単純化し易く、レーザマーカ１を更に小型化することができる。更に、回動部材４は、プリズム１１をレーザ光の光路外に退避させる際に、ピンチローラ１０Ｂもレーザ光の光路外に退避させており、ピンチローラ１０Ｂに妨げられることなく通常画像を印画することを可能としている。一つの回動部材４をピンチローラ１０Ｂの退避とプリズム１１の退避とに兼用しているため、レーザマーカ１を一層小型化することができる。
【００３１】
また、プリズム１１は、互いに異なる方向にレーザ光を屈折させる複数の直角プリズム１２，１３を有し、複数の直角プリズム１２，１３は、ピンチローラ１０ＢによるカードＣ１の搬送方向Ｌ４に沿って並置されている。これにより、駆動ローラ７Ｂ及びピンチローラ１０Ｂを用いた単純な構造でカードＣ１を一方向に沿って搬送するだけで、カードＣ１を各直角プリズム１２，１３の位置に素早く移動させることができる。このため、各直角プリズム１２，１３を透過して互いに異なる方向に屈折したレーザ光をカードＣ１に照射して、図柄が多彩なレンチキュラー画像を素早く印画することができる。また、カードＣ１の搬送構造を駆動ローラ７Ｂ及びピンチローラ１０Ｂを用いた単純なものとすることができることから、レーザマーカ１を小型化することができる。
【００３２】
また、駆動ローラ７Ｂの軸心Ｌ１及びピンチローラ１０Ｂの軸心Ｌ３は、回動部材４の回動軸９の軸心Ｌ２に対し平行になっている。このため、カードＣ１の厚さのばらつき等により、回動部材４の挟持位置Ａ１が上下にずれたとしても、ピンチローラ１０ＢとカードＣ１との平行度が保たれ、カードＣ１の上面に対しピンチローラ１０Ｂの周面がしっかりと接触する。更に、回動部材４が回動して挟持位置Ａ１に至るときに、ピンチローラ１０ＢとカードＣ１との接触に伴って、カードＣ１の位置がピンチローラ１０Ｂの搬送方向Ｌ４に交差する方向にずれてしまうことが防止される。このため、搬送方向Ｌ４に沿ってカードＣ１を精度よく搬送し、カードＣ１のレンチキュラー部Ｐ１とプリズム１１との位置合わせを高精度に行うことができる。また、プリズム１１を構成する直角プリズム１２，１３が搬送方向Ｌ４に沿って並置されているので、搬送方向Ｌ４に沿ってカードＣ１を精度よく搬送することで、カードＣ１のレンチキュラー部Ｐ１と各直角プリズム１２，１３との位置合わせを高精度に行うことができる。
【００３３】
次に、本発明に係るレーザマーカの第２及び第３実施形態について説明するが、第１実施形態と同一又は同等な構成部分については、同一符号を付し、重複する説明を省略する。
（第２実施形態）
【００３４】
第２実施形態に係るレーザマーカは、レーザマーカ１の搬送装置２を図７〜図１１に示される搬送装置２Ａに置き換えたものである。搬送装置２Ａは、搬送装置２のプリズム１１を、プリズム１１とは異なるプリズム１４に置き換えたものであり、搬送方向Ｌ４に斜交する軸線Ｌ８を中心にカードＣ２を傾動させると図柄が変化するレンチキュラー画像を印画するものである。
【００３５】
図７〜図９に示されるように、プリズム１４は、前後方向、すなわちピンチローラ１０ＢによるカードＣ２の搬送方向Ｌ４に沿って並置された第１の直角プリズム１５（第１のプリズム部）と第２の直角プリズム１６（第２のプリズム部）からなる。直角プリズム１５，１６は、平面視で、搬送方向Ｌ４に斜交する軸線Ｌ１０に沿うように傾けて配置されている。具体的には、後側に配置された第１の直角プリズム１５は、互いに直交する直交面１５ｂ，１５ｃと、直交面１５ｂ，１５ｃに斜交する斜面１５ａと、一対の側面１５ｄ，１５ｄとを有している。第１の直角プリズム１５は、回動部材４が挟持位置Ａ１にあるときに、一方の直交面１５ｂが水平となって上方に対面し、側面１５ｄ，１５ｄが軸線Ｌ１０に沿い、他方の直交面１５ｃが左斜め後方に対面し、斜面１５ａが下方及び右斜め前方に対面するように配置されている。前側に配置された第２の直角プリズム１６は、互いに直交する直交面１６ｂ，１６ｃと、直交面１６ｂ，１６ｃに斜交する斜面１６ａと、一対の側面１６ｄ，１６ｄとを有している。第２の直角プリズム１６は、回動部材４が挟持位置Ａ１にあるときに、一方の直交面１６ｂが水平となって上方に対面し、側面１６ｄ，１６ｄが軸線Ｌ１０に沿い、他方の直交面１６ｃが右斜め前方に対面し、斜面１６ａが下方及び左斜め後方に対面するように配置されている。直角プリズム１５，１６は側面１５ｄ，１６ｄ同士が密着すると共に、軸線Ｌ１０に沿って互いにずれた状態に配置されており、直角プリズム１６の鉛直な直交面１６ｃは、直角プリズム１５の水平な直交面１５ｂと斜面１５ａとの交線よりも右斜め前方に位置している。これにより、カードＣ２を前後方向に搬送するのみで、直角プリズム１５，１６のそれぞれを通して、同じレンチキュラー部Ｐ２にレーザ光を照射することが可能になっている。
【００３６】
このような搬送装置２Ａを備えたレーザマーカを用いたレンチキュラー画像の印画方法について説明する。まず、レンチキュラー部Ｐ２が上方に対面し、長辺が前後方向に沿った状態で、カードＣ２をカード取り込み口３０に挿入し、駆動ローラ７Ａ及びピンチローラ１０Ａの協働によりガイド部材５，６上まで搬送する。このとき、回動部材４を挟持位置Ａ１に位置させておく。次に、駆動ローラ７Ｂ及びピンチローラ１０Ｂの協働によりカードＣ２を搬送し、図９に示されるように、カードＣ２のレンチキュラー部Ｐ２を第１の直角プリズム１５の下方に位置させる。そして、レーザ照射装置１Ｂのヘッド部１ａから第１の直角プリズム１５に向かってレーザ光Ｂを照射する。第１の直角プリズム１５に入射したレーザ光Ｂは、下方及び右斜め前方に対面した斜面１５ａで左斜め後方に屈折し、レンチキュラー部Ｐ２に到達する。
【００３７】
次に、駆動ローラ７Ｂ及びピンチローラ１０Ｂの協働によりカードＣ２を搬送し、図１０に示されるように、レンチキュラー部Ｐ２を第２の直角プリズム１６の下方に位置させる。そして、図１１に示されるように、レーザ照射装置１Ｂのヘッド部１ａから第２の直角プリズム１６に向かってレーザ光Ｂを照射する。第２の直角プリズム１６に入射したレーザ光Ｂは、下方及び左斜め後方に対面した斜面１６ａで右斜め前方に屈折し、レンチキュラー部Ｐ２に到達する。このように、左斜め後方と右斜め前方の２方向に傾いたレーザ光Ｂをレンチキュラー部Ｐ２に照射することで、搬送方向Ｌ４に斜交する軸線Ｌ８を中心にカードＣ２を傾動させると図柄が変化するレンチキュラー画像が印画される。
【００３８】
第２実施形態で示したように、回動部材４に固定されるプリズムを変更することで、レンチキュラー部に照射されるレーザ光が屈折する方向を自在に設定することができる。これにより、レンチキュラー部の図柄を変化させるためにカードを傾ける方向を自在に設定することが可能となる。
（第３実施形態）
【００３９】
第３実施形態に係るレーザマーカは、レーザマーカ１の搬送装置２を図１２〜図１７に示される搬送装置２Ｂに置き換えたものである。搬送装置２Ｂは、搬送装置２と共通の第１の回動部材４に加え、第２の回動部材１７を備えたものであり、搬送方向Ｌ４に直交する軸線Ｌ７を中心にカードＣ３を傾動させると図柄が変化するレンチキュラー画像を印画するのに加え、搬送方向Ｌ６に平行な軸線Ｌ９を中心にカードＣ３を傾動させると図柄が変化するレンチキュラー画像を印画するものである。回動部材１７は、ベース部３と協働してカードＣ３を挟持する挟持位置Ａ３と、レーザ光の光路外の退避位置Ａ４との間を回動する。回動部材１７は、挟持位置Ａ３が回動部材４の挟持位置Ａ１と重複するように配置されている。
【００４０】
図１２〜図１５に示されるように、搬送装置２Ｂにおいて、ガイド部材５，６の前方には、回動軸９に対し平行となるように延在した回動軸１８が設けられている。回動軸１８は、側板３ｂ，３ｃに設けられた軸受孔に通されている。回動部材１７は、回動軸１８に固定されている。回動部材１７は、一端部が回動軸１８に固定され、回動軸１８に対し垂直な方向に延在する一対のフレーム１７ａ，１７ｂを有している。一対のフレーム１７ａ，１７ｂは互いに平行であり、フレーム１７ａ，１７ｂの他端部同士はフレーム１７ｃにより連結されている。回動部材１７が挟持位置Ａ３にあるときに、フレーム１７ａ，１７ｂは、それぞれガイド部材５，６に対向する。
【００４１】
回動部材１７は、側板３ｂの外側で、タイミングベルトによりモータ（不図示）に連結されている。また、側板３ｃの外側には、回動軸１８の回動状態を検知するセンサ（不図示）が設けられている。
【００４２】
モータによって、左から見て反時計回りに回動軸１８を回動させると、回動部材１７は、ガイド部材５，６から遠ざかるように回動し、挟持位置Ａ３から退避位置Ａ４に至る。左から見て時計回りに回動軸１８を回動させると、回動部材１７は、ガイド部材５，６に上方から近づくように回動し、退避位置Ａ４から挟持位置Ａ３に至る。これに対し、回動部材４は、上述したように、左から見て時計回りに回動軸９を回動させると挟持位置Ａ１から退避位置Ａ２に至り、左から見て反時計回りに回動軸９を回動させると退避位置Ａ２から挟持位置Ａ１に至る。すなわち、回動部材４と回動部材１７とは互いに逆側に回動する。
【００４３】
回動部材１７のうち駆動ローラ７Ｂと対応する位置には、ピンチローラ１９が設けられている。ピンチローラ１９は、駆動ローラ７Ｂの回動軸８Ｂの軸心Ｌ１と回動部材１７の回動軸１８の軸心Ｌ５とに平行な軸線を中心に回動自在であり、板バネ２９を介してフレーム１７ａにねじ止め固定されている。駆動ローラ７Ｂがガイド部材５寄りに配置されていることから、ピンチローラ１９はフレーム１７ａ寄りに配置されている。これにより、後述するプリズム２０の配置スペースがフレーム１７ｂ側に十分に確保されている。
【００４４】
フレーム１７ａとフレーム１７ｂの間には、プリズム２０が配置されている。フレーム１７ｂに固定されたプリズム２０は、前後方向、すなわちピンチローラ１９によるカードＣ３の搬送方向Ｌ６に沿って並置された第３の直角プリズム２１と第４の直角プリズム２２からなる。後側に配置された第３の直角プリズム２１は、互いに直交する直交面２１ｂ，２１ｃと、直交面２１ｂ，２１ｃに斜交する斜面２１ａと、一対の側面２１ｄ，２１ｄとを有している。第３の直角プリズム２１は、回動部材１７が挟持位置Ａ３にあるときに、一方の直交面２１ｂが水平となって上方に対面し、他方の直交面２１ｃが左方に対面し、斜面２１ａが下方及び右方に対面するように配置されている。前側に配置された第４の直角プリズム２２は、互いに直交する直交面２２ｂ，２２ｃと、直交面２２ｂ，２２ｃに斜交する斜面２２ａと、一対の側面２２ｄ，２２ｄとを有している。第４の直角プリズム２２は、回動部材１７が挟持位置Ａ３にあるときに、一方の直交面２２ｂが水平となって上方に対面し、他方の直交面２２ｃが右方に対面し、斜面２２ａが下方及び左方に対面するように配置されている。直角プリズム２１，２２は側面２１ｄ，２２ｄ同士が密着すると共に、側面２１ｄ，２２ｄに沿って互いにずれた状態に配置されており、直角プリズム２２の鉛直な直交面２２ｃは、直角プリズム２１の水平な直交面２１ｂと斜面２１ａとの交線よりも左方に位置している。これにより、カードＣ３を前後方向に搬送するのみで、直角プリズム２１，２２のそれぞれを通して、同じレンチキュラー部Ｐ４にレーザ光を照射することが可能になっている。
【００４５】
このような搬送装置２Ｂを備えたレーザマーカを用いたレンチキュラー画像の印画方法について説明する。ここでは、第１のレンチキュラー部Ｐ３及び第２のレンチキュラー部Ｐ４を有するカードＣ３にレンチキュラー画像を印画する場合を例示する。まず、レンチキュラー部Ｐ３，Ｐ４が上方に対面し、長辺が前後方向に沿った状態で、カードＣ３をカード取り込み口３０に挿入し、駆動ローラ７Ａ及びピンチローラ１０Ａの協働によりガイド部材５，６上まで搬送する。このとき、回動部材４を挟持位置Ａ１に位置させ、回動部材１７を退避位置Ａ４に位置させておく。次に、第１実施形態にて説明したのと同様の手順で第１のレンチキュラー部Ｐ３にレンチキュラー画像を印画する。
【００４６】
次に、回動部材４を退避位置Ａ２まで回動させ、回動部材１７を挟持位置Ａ３まで回動させる。そして、駆動ローラ７Ｂ及びピンチローラ１９の協働によりカードＣ３を搬送し、図１５に示されるように、第２のレンチキュラー部Ｐ４を第３の直角プリズム２１の下方に位置させる。そして、レーザ照射装置１Ｂのヘッド部１ａから第３の直角プリズム２１に向かってレーザ光Ｂを照射する。第３の直角プリズム２１に入射したレーザ光Ｂは、下方及び右方に対面した斜面２１ａで左方に屈折してレンチキュラー部Ｐ４に到達する。
【００４７】
次に、駆動ローラ７Ｂ及びピンチローラ１９の協働によりカードＣ３を搬送し、図１７に示されるように、第２のレンチキュラー部Ｐ４を第４の直角プリズム２２の下方に位置させる。そして、図１６に示されるように、レーザ照射装置１Ｂのヘッド部１ａから第４の直角プリズム２２に向かってレーザ光Ｂを照射する。第４の直角プリズム２２に入射したレーザ光Ｂは、下方及び左方に対面した斜面２２ａで右方に屈折してレンチキュラー部Ｐ４に到達する。このように、右方と左方の２方向に屈折したレーザ光Ｂをレンチキュラー部Ｐ４に照射することで、搬送方向Ｌ６に平行な軸線Ｌ９を中心にカードＣ３を傾動させると図柄が変化するレンチキュラー画像が印画される。
【００４８】
以上説明したように、第３実施形態のレーザマーカによれば、第１実施形態のレーザマーカ１と同様に、搬送方向Ｌ４に直交する軸線Ｌ７を中心にカードＣ３を傾動させると図柄が変化するレンチキュラー画像を印画することができる。更に、挟持位置Ａ１と挟持位置Ａ３との重複部分に位置していた回動部材４を回動部材１７に入れ替えることで、レーザ光の光路内に位置していたプリズム１１をプリズム２０に入れ替え、搬送方向Ｌ６に平行な軸線Ｌ９を中心にカードＣ３を傾動させると図柄が変化するレンチキュラー画像を印画することができる。このように、挟持位置Ａ１，Ａ３の重複部分において回動部材４，１７を互いに入れ替えることで、プリズム１１，２０を互いに入れ替えてレーザ光の光路内に配置することができ、図柄がより多彩なレンチキュラー画像を印画することができる。また、挟持位置Ａ１，Ａ３の重複部分が、各プリズム１１，２０をレーザ光の光路内に配置しての印画に兼用されるため、レーザマーカを小型化することができる。
【００４９】
また、回動部材４にはピンチローラ１０Ｂが設けられ、回動部材１７にはピンチローラ１０Ｂと同様のピンチローラ１９が設けられている。このため、回動部材４，１７のいずれが挟持位置Ａ１，Ａ３にあるときにも、カードＣ３を同一の方向（Ｌ４＝Ｌ６）に搬送することができる。
【００５０】
また、回動部材４の回動軸９の軸心Ｌ２と回動部材１７の回動軸１８の軸心Ｌ５とは互いに平行であり、それぞれピンチローラ１０Ｂ，１９の軸心に平行となっている。このため、回動部材４，１７のいずれが挟持位置Ａ１，Ａ３にあるときにも、ピンチローラ１０Ｂ，１９とカードＣ３との平行度が保たれ、カードＣ３の上面に対しピンチローラ１０Ｂ，１９の周面がしっかりと接触する。更に、回動部材４，１７が回動して挟持位置Ａ１，Ａ３に至るときに、ピンチローラ１０Ｂ，１９とカードＣ３の接触に伴って、カードＣ３の位置が、ピンチローラ１０Ｂ，１９の搬送方向Ｌ４，Ｌ６に交差する方向にずれてしまうことが防止される。従って、搬送方向Ｌ４，Ｌ６に沿ってカードＣ３を精度よく搬送し、カードＣ３のレンチキュラー部Ｐ３，Ｐ４とプリズム１１，２０との位置合わせを高精度に行うことができる。また、プリズム１１を構成する直角プリズム１２，１３が搬送方向Ｌ４に沿って並置されており、プリズム２０を構成する直角プリズム２１，２２が搬送方向Ｌ６に沿って並置されているので、搬送方向Ｌ４，Ｌ６に沿ってカードＣ３を精度よく搬送することで、カードＣ３のレンチキュラー部Ｐ３，Ｐ４と各直角プリズム１２，１３，２１，２２との位置合わせを高精度に行うことができる。
【００５１】
なお、本実施形態では、回動部材４，１７は、挟持位置Ａ１，Ａ３から退避位置Ａ２，Ａ４に向かうとき及び退避位置Ａ２，Ａ４から挟持位置Ａ１，Ａ３に向かうときに互いに逆側に回動するように設けられているが、必ずしもこれに限られず、回動部材４，１７は互いに異なる方向に回動するように設けられていればよい。例えば、回動部材１７の回動軸１８をガイド部材５，６に対し平行とすることで、回動部材４，１７が互いに直交する軸線を中心に回動するようにしてもよい。
【００５２】
また、本実施形態では、プリズム１１とプリズム２０を用いて異なるレンチキュラー部Ｐ３，Ｐ４にレンチキュラー画像を印画する例を示したが、プリズム１１とプリズム２０を用いて同一のレンチキュラー部にレンチキュラー画像を印画してもよい。
【００５３】
以上、本発明の好適な実施形態について説明してきたが、本発明は必ずしも上述した実施形態に限定されるものではない。例えば、印画対象としての紙葉類はカードに限られず、パスポート、伝票、証券紙等であってもよい。また、プリズムは、必ずしも複数のプリズム部を有している必要はなく、一個のプリズム部を有していればよい。また、複数のプリズム部は一体化されていてもよい。また、印画手順は上述したものに限られず、例えば通常画像を印画してからレンチキュラー画像を印画してもよい。
【符号の説明】
【００５４】
１…レーザマーカ、１Ｂ…レーザ照射装置、３…ベース部、４，１７…回動部材（可動部材）、７Ｂ…駆動ローラ、１０Ｂ，１９…ピンチローラ、１１，１４，２０…プリズム、１２，１５…第１のプリズム部、１３，１６…第２のプリズム部、Ａ１，Ａ３…挟持位置、Ａ２，Ａ４…退避位置、Ｃ１，Ｃ２，Ｃ３…カード（紙葉類）、Ｌ４，Ｌ６…搬送方向。
【要約】
【課題】レーザ光による通常画像の印画とレンチキュラー画像の印画とを可能にすると共に、小型化をも可能にするレーザマーカを提供する。
【解決手段】レーザマーカ１は、カードＣ１にレーザ光を照射するレーザ照射装置１Ｂと、カードＣ１を支持するベース部３と、ベース部３に設けられると共に、カードＣ１の下面に接する駆動ローラ７Ｂと、ベース部３と協働してカードＣ１を挟持する挟持位置Ａ１とレーザ光の光路外の退避位置Ａ２との間を回動する回動部材４と、回動部材４に設けられると共に、カードＣ１の上面に接し、駆動ローラ７Ｂと協働してカードを搬送するピンチローラ１０Ｂと、回動部材４に固定されると共に、回動部材４の挟持位置Ａ１でレーザ光を透過且つ屈折させるプリズム１１と、を備える。
【選択図】図１【図１】
0005296244.tif 000002
【図２】
0005296244.tif 000003
【図３】
0005296244.tif 000004
【図４】
0005296244.tif 000005
【図５】
0005296244.tif 000006
【図６】
0005296244.tif 000007
【図７】
0005296244.tif 000008
【図８】
0005296244.tif 000009
【図９】
0005296244.tif 000010
【図１０】
0005296244.tif 000011
【図１１】
0005296244.tif 000012
【図１２】
0005296244.tif 000013
【図１３】
0005296244.tif 000014
【図１４】
0005296244.tif 000015
【図１５】
0005296244.tif 000016
【図１６】
0005296244.tif 000017
【図１７】
0005296244.tif 000018